(57)【特許請求の範囲】
【請求項１】
長尺な素子基板上にその長手方向に沿って直線状に並設された複数の発光素子が、金属よりなる筐体の内部に、当該筐体の光出射開口に設けられた光透過性を有する窓部材に対向するように配設されてなる植物育成用照明装置において、
発光素子制御用無線信号を送受信するためのアンテナ部が、前記素子基板と前記窓部材との間において、前記筐体における光出射開口縁のレベルより光放射方向前方に突出すると共に、前記発光素子が並ぶ方向に沿って伸びて位置しており、
前記窓部材には、前記アンテナ部と前記発光素子との間に位置する隔壁が設けられていることを特徴とする植物育成用照明装置。
【請求項２】
前記窓部材は、前記筐体における光出射開口縁のレベルより光放射方向前方に突出する膨出部を有しており、当該膨出部の内部に前記アンテナ部が配置されていることを特徴とする請求項１に記載の植物育成用照明装置。
【請求項３】
請求項１または請求項２に記載の植物育成用照明装置を複数と、これらの複数の植物育成用照明装置に対して前記発光素子制御用無線信号を送信する制御部と備えており、
前記植物育成用照明装置の複数の各々は、アンテナ部が、前記制御部からの発光素子制御用無線信号を中継する機能を有するものであることを特徴とする植物育成用照明システム。
【発明の詳細な説明】
【技術分野】
【０００１】
本発明は、植物育成用照明装置および植物育成用照明システムに関する。
【背景技術】
【０００２】
従来、人口光源を利用した植物栽培方法が提案されている。そして、人口光源としては、ＬＥＤ素子などの発光素子を備えた植物育成用照明装置が提案されている（例えば、特許文献１参照。）。
具体的に、特許文献１には、植物の光合成に必要とされる波長６６０ｎｍ付近の赤色光と波長４５０ｎｍ付近の青色光とを放射する光源ユニット（発光素子光源ユニット）を備えた植物育成用照明装置が開示されている。
【０００３】
また、植物育成用照明装置を用いた植物育成用照明システムとしては、複数の植物育成用照明装置を備え、これら複数の植物育成用照明装置の設定（具体的には、例えば放射光の強弱やオンオフ間隔時間などの設定）をデータ伝送接続手段によって一括して行う手法を利用したものが提案されている（例えば、特許文献２参照。）。
具体的に、特許文献２には、複数の植物育成用照明装置（スレーブ照明装置）と、これらの複数の植物育成用照明装置の各々と電気的に接続された制御部（マスター照明装置）とを備えた植物育成用照明システムが開示されている。この植物育成用照明システムにおいては、マスター照明装置に所定の設定（具体的には、例えば電流値設定や点灯時間などの設定）を行った際に、その設定操作に応じて各スレーブ照明装置にコマンド信号が送信される。そして、マスター照明装置から送信されたコマンド信号を受信した各スレーブ照明装置では、そのコマンドに応じて所定の設定がなされる。このようにして、照明装置全体（マスター照明装置および複数のスレーブ照明装置）の設定が一括して行われる。
しかしながら、このような植物育成用照明システムにおいては、データ伝送接続手段として、制御部と複数の植物育成用ＬＥＤ照明装置との間の各々に信号配線を設ける必要があることから、システム設置作業が煩雑になる、という問題がある。
【０００４】
一方、一般照明用途の分野においては、複数の照明装置の照度の調整を、当該複数の照明装置と制御部との間に信号配線を設けることなく、無線信号によって行う手法が提案されている（例えば、特許文献３参照。）。
具体的に、特許文献３には、建物やオフィスビルの内部に設けられた多数の照明装置を、無線信号で連動させて制御する照明システムが開示されている。
【０００５】
然るに、植物育成用照明装置は、一般照明用途の分野とは異なる特有の環境下で用いられるものであることから、無線信号によって制御することが容易ではない、という問題がある。
具体的に説明すると、植物育成用照明装置は、育成対象である植物が定期的に水を与える必要があるものであることから、多量の水滴に曝されるため、気密性と防滴性とが必要とされる。そのため、植物育成用照明装置に無線信号を送受信するためのアンテナ部を設ける場合には、そのアンテナ部を筐体の内部に配置する必要がある。
しかしながら、植物育成用照明装置においては、使用時に発光素子光源ユニットにおいて生じる熱を高い効率で放熱するために装置の筐体が金属製とされていることから、単に従来の植物育成用照明装置の筐体の内部にアンテナ部を配設した場合には、筐体が無線通信の障害となり、制御部からの無線信号が届きにくい、という問題がある。
【先行技術文献】
【特許文献】
【０００６】
【特許文献１】特開２０１２−２３９４１７号公報
【特許文献２】特開２００９−１７１８５７号公報
【特許文献３】特開２０１０−８０１３９号公報
【発明の概要】
【発明が解決しようとする課題】
【０００７】
本発明は、以上のような事情に基づいてなされたものであって、その目的は、発光素子において発生した熱を効率的に放熱することができると共に優れた防滴性を有し、無線信号によって制御することのできる植物育成用照明装置を提供することにある。
また、本発明の他の目的は、複数の植物育成用照明装置を共通の制御部によって制御することのできる植物育成用照明システムを提供することにある。
【課題を解決するための手段】
【０００８】
本発明の植物育成用照明装置は、長尺な素子基板上にその長手方向に沿って直線状に並設された複数の発光素子が、金属よりなる筐体の内部に、当該筐体の光出射開口に設けられた光透過性を有する窓部材に対向するように配設されてなる植物育成用照明装置において、
発光素子制御用無線信号を送受信するためのアンテナ部が、前記素子基板と前記窓部材との間において、前記筐体における光出射開口縁のレベルより光放射方向前方に突出すると共に、前記発光素子が並ぶ方向に沿って伸びて位置しており、
発光素子制御用無線信号を送受信するためのアンテナ部が、前記素子基板と前記窓部材との間において、前記筐体における光出射開口縁のレベルより光放射方向前方に突出すると共に、前記発光素子が並ぶ方向に沿って伸びて位置しており、
前記窓部材には、前記アンテナ部と前記発光素子との間に位置する隔壁が設けられていることを特徴とする。
【０００９】
本発明の植物育成用照明装置においては、前記窓部材は、前記筐体における光出射開口縁のレベルより光放射方向前方に突出する膨出部を有しており、当該膨出部の内部に前記アンテナ部が配置されていることが好ましい。
【００１０】
本発明の植物育成用照明システムは、前記の植物育成用照明装置を複数と、これらの複数の植物育成用照明装置に対して前記発光素子制御用無線信号を送信する制御部と備えており、
前記植物育成用照明装置の複数の各々は、アンテナ部が、前記制御部からの発光素子制御用無線信号を中継する機能を有するものであることを特徴とする。
【発明の効果】
【００１１】
本発明の植物育成用照明装置においては、光出射開口に窓部材が設けられてなる金属製の筐体の内部に複数の発光素子が配設されていることから、発光素子において発生した熱を、筐体を介して効率的に放熱することができる。また、発光素子制御用無線信号を送受信するためのアンテナ部を、複数の発光素子が並設された素子基板と共に、筐体と窓部材とによって区画される空間に収容することができることから、植物育成用照明装置を、防滴性を有するものとすることができる。しかも、アンテナ部が、筐体における光出射開口縁のレベルより光放射方向前方に突出して位置していることから、当該筐体が無線通信の障害となることがなく、また発光素子制御用無線信号の送受信がしやすい。
従って、本発明の植物育成用照明装置によれば、発光素子において発生した熱を効率的に放熱することができると共に優れた防滴性が得られ、また発光素子の点灯制御や光量制御などを無線信号によって制御することができる。
【００１２】
本発明の植物育成用照明システムは、本発明の植物育成用照明装置を複数備えており、それらの複数の植物育成用照明装置のアンテナ部が、制御部からの発光素子制御用無線信号を中継する機能を有するものである。そのため、制御部からの発光素子制御用無線信号が届きにくい位置に配置された植物育成用照明装置にも、発光素子制御用無線信号を、他の植物育成用照明装置のアンテナ部を介して受信させることができる。
従って、本発明の植物育成用照明システムによれば、複数の植物育成用照明装置を共通の制御部によって制御することができる。
【図面の簡単な説明】
【００１３】
【図１】本発明の植物育成用照明装置の構成の一例を示す説明用正面図である。
【図２】図１の植物育成用照明装置の説明用側面図である。
【図３】図１の植物育成用照明装置の短手方向の断面を示す説明用断面図である。
【図４】本発明の植物育成用照明システムの概略の一例を示す説明図である。
【発明を実施するための形態】
【００１４】
以下、本発明の実施の形態について説明する。
図１は、本発明の植物育成用照明装置の構成の一例を示す説明用正面図であり、図２は、図１の植物育成用照明装置の説明用側面図であり、図３は、図１の植物育成用照明装置の短手方向の断面を示す説明用断面図である。
この植物育成用照明装置１０は、外観形状が長尺な直方体状であって、天壁部１２Ａに長尺な矩形状の光出射開口１３が形成された金属製の筐体１１を備えている。この筐体１１の内部には、光出射開口１３に近接した位置に、長尺な略矩形状の素子基板２１の上面（図２および図３における上面）に複数の発光素子（具体的には、発光素子２３Ａおよび発光素子２３Ｂ）が並設されてなる光源ユニット２０が、当該光出射開口１３に沿うように配設されている。また、筐体１１には、光出射開口１３を塞ぐように、光透過性を有する窓部材３０が設けられており、この窓部材３０と光源ユニット２０を構成する発光素子とが空間を介して対向した状態とされている。また、窓部材３０と筐体１１との境界には、シール部３９が形成されている。
また、筐体１１の内部には、素子基板２１の下面（図２および図３における下面）側に、電装品収容空間Ｅが形成されており、この電装品収容空間Ｅには、電装基板２８と、例えばマイコン、電源用コンデンサ、インダクタおよびコイルなどの電装部品（図示省略）とが配設されている。電装基板２８には、発光素子制御用無線信号を送受信するためのアンテナ部４２が実装されており、このアンテナ部４２は、光源ユニット２０（素子基板２１）と窓部材３０との間の空間に位置するように配置されている。
この図の例において、電装基板２８には、発光素子駆動回路、およびアンテナ部４２において送受信される発光素子制御用無線信号を処理するための信号処理回路などが設けられている。
【００１５】
光源ユニット２０においては、図１および図２に示すように、複数の発光素子が、素子基板２１の一方向、具体的には素子基板２１の長手方向に沿って直線状に並ぶように配置されており、これらの複数の発光素子によって発光素子列が形成されている。
この光源ユニット２０には、発光波長が異なる２種類の発光素子が用いられている。具体的には、植物の光合成に有効な波長６６０ｎｍ付近の光（赤色光）を放射する発光素子（赤色発光素子）２３Ｂと、波長４５０ｎｍ付近の光（青色光）とを放射する青色発光素子２３Ａとが用いられている。青色発光素子２３Ａとしては、例えば青色ＬＥＤ素子が用いられ、一方、赤色発光素子２３Ｂとしては、例えば赤色ＬＥＤ素子が用いられる。
また、素子基板２１は、例えばアルミニウムよりなる長尺な略矩形板状の基体の表面に、配線パターンが形成された絶縁膜が積層されてなるものである。この素子基板２１には、一端部（図１における左端部）に、矩形状の切欠き部２２が形成されている。
この図の例において、素子基板２１上には、複数の青色発光素子（図１には、８個の青色発光素子が示されている）２３Ａが、当該素子基板２１の長手方向に等間隔で配置されている。そして、各青色発光素子２３Ａの素子基板２１の長手方向の一方側（図１における左方側）および他方側（図１における右方側）の各々には、赤色発光素子２３Ｂが配置されている。ここに、図１においては、青色発光素子２３Ａおよび赤色発光素子２３Ｂのうちの青色発光素子２３Ａを斜線のハッチングを付して示している。この２個の赤色発光素子２３Ｂ、および当該２個の赤色発光素子２３Ｂの間に位置する青色発光素子２３Ａの間隔は、等間隔とされている。
また、光源ユニット２０（素子基板２１）は、筐体１１の３つの側壁部１２Ｃ，１２Ｄ，１２Ｆと離間した状態で配置されている。
【００１６】
筐体１１は、防滴性を有するものである。
具体的に説明すると、筐体１１は、例えば切削加工などによって一体形成することによって得られる接合部分を有さない構造、または複数の部材によって構成され、部材同士を繋ぎ合せたような接合部分を有するものの、その接合部分が例えば溶接なとによって当該接合部分に間隙がないように形成された構造を有するものとされる。
この図の例において、筐体１１は、天壁部１２Ａと、底壁部１２Ｂと４つの側壁部（具体的には、互いに対向する２つの幅広側壁部１２Ｄ，１２Ｆと、互いに対向する２つの幅狭側壁部１２Ｃ，１２Ｅ）とを有しており、天壁部１２Ａ、底壁部１２Ｂおよび幅広側壁部１２Ｄ，１２Ｆが押出成形によって一体に形成され、幅狭側壁部１２Ｃ，１２Ｅの各々が板状部材によって構成されたものである。そして、押出成形によるアルミニウム製の一体成形体に、２つの幅狭側壁部用板状部材がビス留めによって接合されている。また、一体成形体と幅狭側壁部用板状部材とが繋ぎ合わされている接合部分は、隙間がなく形成されている。また、幅狭側壁部１２Ｃには、防水クランプ１９が設けられている。このようにして、筐体１１は、防滴性を有する構造のものとされている。
【００１７】
また、筐体１１には、内周面（幅広側壁部１２Ｄ，１２Ｆおよび幅狭側壁部１２Ｃ，１２Ｅの内表面によって構成される面）における光放射開口１３（天壁部１２Ａ）に近接した位置に、光源ユニット２０と窓部材３０とを支持固定するための凸部１６が、天壁部１２Ａに沿って伸びるように配設されている。そして、光源ユニット２０と窓部材３０とは、凸部１６と天壁部１２Ａとによって、光源ユニット２０の周縁部分（具体的には、素子基板２１の周縁部分）と窓部材３０の周縁部分とが共に挟持されることにより、支持固定されている。このようにして、窓部材３０は、筐体１１の内部に受容された状態で固定されて設けられている。
この図の例において、凸部１６は、幅広側壁部１２Ｄ，１２Ｆに垂直な方向に突出し、当該幅広側壁部１２Ｄ，１２Ｆの内面の全域にわたって天壁部１２Ａに沿って伸び、その断面形状が四角状のものである。この凸部１６は、幅狭側壁部１２Ｃ，１２Ｅに密着した状態で配設されている。
また、筐体１１の内部においては、光源ユニット２０（素子基板２１）と凸部１６とによって電装品収容空間Ｅが区画されている。
【００１８】
また、筐体１１には、内周面における凸部１６の下方（図３における下方）領域の凸部１６に近接した位置に、天壁部１２Ａに沿って伸びるように電装基板用凸部１８が設けられており、この電装基板用凸部１８上に電装基板２８の周縁部が位置されることによって、当該電装基板２８が支持されている。
この図の例において、電装基板用凸部１８は、幅広側壁部１２Ｄ，１２Ｆに垂直な方向に突出し、当該幅広側壁部１２Ｄ，１２Ｆの内面の全域にわたって天壁部１２Ａに沿って伸び、その断面形状が四角状のものである。この電装基板用凸部１８は、幅狭側壁部１２Ｃ，１２Ｅに密着した状態で配設されている。
【００１９】
筐体１１を構成する金属としては、放熱性の観点から、熱伝導率の高いものが用いられる。具体的には、例えばアルミニウムなどが挙げられる。
この図の例において、筐体１１の外周面（幅広側壁部１２Ｄ，１２Ｆおよび幅狭側壁部１２Ｃ，１２Ｅの外表面によって構成される面）の全面には、アルマイト処理が施されている。
【００２０】
窓部材３０は、例えば厚み１ｍｍの長尺な矩形板状体であって、筐体１１の内部に受容されて当該筐体１１の光放射開口１３を塞ぐことのできるような縦横寸法を有するものである。
図の例において、光放射開口１３は、天壁部１２Ａの開口縁面１３Ａおよび幅狭側壁部１２Ｃ，１２Ｅの内周面によって構成されている。
また、窓部材３０は、長手方向の寸法が光放射開口１３の長手方向の寸法（２つの幅狭側壁部１２Ｃ，１２Ｅの離間距離）と同等であって、短手方向の寸法が、２つの幅広側壁部１２Ｄ，１２Ｆの離間距離よりも僅かに小さく、かつ光放射開口１３の縦横寸法よりも僅かに大きいものである。そして、窓部材３０は、２つの幅狭側壁部１２Ｃ，１２Ｅに密着し、２つの幅広側壁部１２Ｄ，１２Ｆとは離間した状態で配置されている。
【００２１】
そして、窓部材３０は、図３に示されているように、光出射開口縁１３Ｂのレベル（以下、「光出射開口レベル」ともいう。）より光出射方向前方（図３における上方向）に突出する膨出部を有するものであることが好ましい。ここに、本明細書中において、「光出射開口縁のレベル」とは、光出射開口縁のうちの最も素子基板２１側に位置するレベルである。
具体的に説明すると、窓部材３０は、短手方向の中央が光出射方向前方に突出するように変形した矩形板状体であって、長尺な矩形状の天面部３１Ａと、この天面部３１Ａに連続する２つの側面部３１Ｂ，３１Ｃと、これらの側面部３１Ｂ，３１Ｃの各々に連続し、天面部３１Ａに平行に伸びる鍔部３１Ｄ，３１Ｅとを有するものである。この窓部材３０において、各部の境界は曲面となっている。そして、天面部３１Ａは、短手方向の寸法が、光出射開口１３の短手方向の寸法よりも小さく、発光素子列の幅よりも大きいものである。そして、窓部材３０においては、天面部３１Ａと側面部３１Ｂ，３１Ｃの天面部側部分とによって膨出部が構成されている。
この図の例において、窓部材３０は、鍔部３１Ｄ，３１Ｅの外側部分において、凸部１６と天壁部１２Ａとに挟持されている。すなわち、窓部材３０においては、鍔部３１Ｄ，３１Ｅの外側部分によって周縁部分が構成されている。
【００２２】
窓部材３０において、膨出部の光出射開口レベルからの突出高さｈは、アンテナ部４２を、光出射開口レベルより光出射方向前方に位置させることができるよう、窓部材３０の厚みおよびアンテナ部４２の形状などに応じて適宜に定められる。
この図の例において、膨出部の突出高さｈは３ｍｍである。
【００２３】
また、窓部材３０の天面部３１Ａには、発光素子列に対向する領域と側面部３１Ｂとの間に、当該天面部３１Ａから光出射方向後方（図３における下方向）に突出し、側面部３１Ｂに沿って伸びる隔壁３３が一体形成されている。この隔壁３３は、筐体１１の幅狭側壁部１２Ｃ，１２Ｅに密着した状態で配置されている。そして、隔壁３３と側面部３１Ｃとの間には、アンテナ部４２を収容するアンテナ部材収容空間Ａが構成されている。
この図の例において、隔壁３３の先端３３Ａは、光出射開口レベルより光出射方向後方に位置されている。
また、窓部材３０の天面部３１Ａには、発光素子列に対向する領域と側面部３１Ｃとの間にも、当該天面部３１Ａから光出射方向後方に突出し、側面部３１Ｃに沿って伸びる、すなわち隔壁３３に平行に伸びる隔壁３４が形成されている。
【００２４】
窓部材３０の材質としては、光源ユニットを構成する発光素子２３Ａ，２３Ｂからの光を透過することのできる光透過性を有するガラスまたはポリカーボネート樹脂およびアクリル樹脂等の樹脂が用いられる。
【００２５】
シール部３９は、筐体１１と窓部材３０との境界において、天壁部１２Ａの内表面（図３における下面）と窓部材３０の鍔部３１Ｄ，３１Ｅの外側部分との間の間隙を、当該間隙を介して外部と植物育成用照明装置１０の内部とが連通することのないように塞ぐためのものである。
シール部３９を形成するための材料としては、例えばシリコンおよびウレタンなどが用いられる。
この図の例において、シール部３９は、天壁部１２Ａの開口縁面１３Ａと鍔部３１Ｄ，３１Ｅの内側部分とを覆うように設けられている。そして、窓部材３０と天壁部１２Ａとの境界にシール部３９が設けられ、また窓部材３０と幅広側壁部１２Ｃ，１２Ｅとがビス留めおよび防水クランプ１９によって密着した状態とされることにより、筐体１１と窓部材３０とによって区画される空間が密閉性および防滴性を有するもとのとされている。
【００２６】
アンテナ部４２は、発光素子制御用無線信号を送受信するものであり、このアンテナ部４２において受信された発光素子制御用無線信号が電装基板２８の信号処理回路によって処理され、それに基づいて光源ユニット２０が制御される。具体的には、光源ユニット２０の点灯制御（ＯＮ−ＯＦＦ制御）や光量制御がなされる。
【００２７】
そして、アンテナ部４２は、光源ユニット２０（素子基板２１）と窓部材３０との間、具体的にはアンテナ部収容空間Ａにおいて、隔壁３３および側面部３１Ｂに沿って伸び、光出射開口レベルより光出射方向前方に位置するように配置されている。
このアンテナ部４２は、電装基板２８から素子基板２１の切欠き部２２を介して光出射開口１３に向かって伸びるリード部４１を介して電装基板２８に実装されている。
この図の例において、アンテナ部４２とリード部４１とは一体のものであり、このアンテナ部４２とリード部４１とを構成するアンテナ部形成部材における光出射開口レベルより光出射方向前方に位置するＬ字状の部分がアンテナ部４２とされている。
【００２８】
また、アンテナ部４２は、外部に設けられた制御部（図示省略）からの発光素子制御用無線信号を中継する無線信号中継機能を有するものであることが好ましい。
アンテナ部４２が無線信号中継機能を有するものであることによれば、複数の植物育成用照明装置１０を共通の制御部によって確実に制御することができる。そのため、植物育成用照明装置１０を、複数の植物育成用照明装置によって構成される植物育成用照明システムに好適に用いることができる。
【００２９】
このような植物育成用照明装置１０は、例えばリーフレタス、レタス、小松菜、ほうれん草およびパセリ等の葉菜類などの育成対象の植物が栽培されている圃場の上方（具体的には、例えば圃場から２０ｃｍの高さ）に、光源ユニット２０を構成する青色発光素子２３Ａおよび赤色発光素子２３Ｂが圃場に対向するように配置される。そして、圃場上方の植物育成用照明装置１０において、複数の青色発光素子２３Ａおよび複数の赤色発光素子２３Ｂの各々に直流電流が供給されることにより、これらの発光素子が一斉に点灯され、圃場に対して光が照射される。
【００３０】
而して、植物育成用照明装置１０においては、筐体１１が金属よりなるものであることから、光源ユニット２０を構成する青色発光素子２３Ａおよび赤色発光素子２３Ｂにおいて発生した熱を、素子基板２１を支持する筐体１１の凸部１６を介して効率的に放熱することができる。
また、アンテナ部４２が、光源ユニット２０と共に、筐体１１と窓部材３０とによって区画される空間に収容されていることから、シール部３９や防水クランプ１９を設けることなどにより、植物育成用照明装置１０を、防滴性を有するものとすることができる。
しかも、アンテナ部４２が、光出射開口レベルより光放射方向前方に突出して位置していることから、筐体１１が金属よりなるものであっても無線通信の障害となることがなく、また発光素子制御用無線信号の送受信がしやすい。
従って、植物育成用照明装置１０によれば、発光素子において発生した熱を効率的に放熱することができると共に優れた防滴性が得られ、また光源ユニット２０の点灯制御（ＯＮ−ＯＦＦ制御）や光量制御などを、外部に設けられた制御部からの発光素子制御用無線信号によって制御することができる。
【００３１】
この植物育成用照明装置１０は、外部に設けられた制御部からの発光素子制御用無線信号によって制御することができ、しかも発光素子制御用無線信号の送受信がしやすいものであることから、複数の植物育成用照明装置によって構成される植物育成用照明システムに好適に用いられる。
この植物育成用照明装置１０を備えた植物育成用照明システムは、例えば複数の植物育成用照明装置１０が、素子基板２１の長手方向に垂直な方向に、互いに平行になるように並設されており、これらの複数の植物育成用照明装置１０に共通の制御部が設けられたものである。この制御部は、複数の植物育成用照明装置１０のアンテナ部４２の各々と、窓部材３０を介して対向するように配置される。
このような植物育成用照明システムにおいては、複数の植物育成用照明装置１０の各々のアンテナ部４２が制御部からの発光素子制御用無線信号を直接的に受信することにより、当該複数の植物育成用照明装置１０の各々において、受信した発光素子制御用無線信号に応じた制御がなされる。その結果、複数の植物育成用照明装置１０を共通の制御部によって一括制御することができる。
【００３２】
また、複数の植物育成用照明装置１０を用いた植物育成用照明システムにおいては、これらの複数の植物育成用照明装置１０において、アンテナ部４２として信号中継機能を有するものを用いることにより、そのシステムを、本発明の植物育成用システムとすることができる。
本発明の植物育成用システムによれば、制御部からの発光素子制御用無線信号が届きにくい位置に配置された植物育成用照明装置にも、発光素子制御用無線信号を、他の植物育成用照明装置のアンテナ部を介して受信させることができる。
具体的に説明すると、図４に示すように、複数の植物育成用照明装置１０Ａ，１０Ｂ，１０Ｃが、素子基板２１の長手方向に垂直な方向に、互いに平行になるように並設されてなる植物育成用照明システムにおいては、光照射面の面内方向、すなわち光照射面である圃場１に平行な方向における無線通信が可能となる。そのため、圃場１の一方（図４における右方）の最外側に位置する植物育成用照明装置１０Ａの側方（図４における右方）に設けられた制御部（図示省略）から離間した位置に配置された植物育成用照明装置１０Ｃに対して、当該植物育成用照明装置１０Ｃと制御部との間に位置する複数（図４においては、２つ）の植物育成用照明装置１０Ａ，１０Ｂのアンテナ部４２を介して発光素子制御用無線信号を送信することができる。
従って、本発明の植物育成用照明システムによれば、複数の植物育成用照明装置を共通の制御部によって制御することができる。
【００３３】
本発明の植物育成用照明装置および植物育成用照明システムにおいては、上記の実施の形態に限定されず、種々の変更を加えることが可能である。
例えば、植物育成用照明装置において、筐体および窓部材は、図１〜図３に示した形状のものに限定されず、アンテナ部を、素子基板と窓部材との間において光出射開口レベルより光放射方向前方に突出するように配置することができれば、筐体および窓部材はいかなる形状を有するものであってもよい。
【符号の説明】
【００３４】
１    圃場
１０，１０Ａ，１０Ｂ，１０Ｃ    植物育成用照明装置
１１    筐体
１２Ａ    天壁部
１２Ｂ    底壁部
１２Ｃ，１２Ｅ    幅狭側壁部
１２Ｄ，１２Ｆ    幅広側壁部
１３    光出射開口
１３Ａ    開口縁面
１３Ｂ    光出射開口縁
１６    凸部
１８    電装基板用凸部
１９    防水クランプ
２０    光源ユニット
２１    素子基板
２２    切欠き部
２３Ａ    青色発光素子
２３Ｂ    赤色発光素子
２８    電装基板
３０    窓部材
３１Ａ    天面部
３１Ｂ，３１Ｃ    側面部
３１Ｄ，３１Ｅ    鍔部
３３，３４    隔壁
３３Ａ    先端
３９    シール部
４１    リード部
４２    アンテナ部
【図１】
0006575115.tif 000002
【図２】
0006575115.tif 000003
【図３】
0006575115.tif 000004
【図４】
0006575115.tif 000005